(57)【要約】【課題】機器が閉状態のときでも、水が排水路から進入せず、キーボードに到達しないようにする。【解決手段】  キーボード３を備えこのキーボード３が使用可能な開状態と、このキーボード３が使用不能な閉状態とを有する防水構造を備えた機器において、  一端をキーボードに接続し他端をこの機器の外部に開口した排水路１と、機器が閉状態のとき排水路１を塞ぎ、機器が開状態のとき排水路１を開通させる栓部２と、を備える。【選択図】      図1
2012004366.tif 000002
【特許請求の範囲】
【請求項１】
キーボードを備え前記キーボードが使用可能な開状態と前記キーボードが使用不能な閉状態とをとる、防水構造を備えた機器において、
一端を前記キーボードに接続し他端を前記機器の外部に開口した排水路と、
前記機器が閉状態のとき前記排水路を塞ぎ、前記機器が開状態のとき前記排水路を開通させる栓部と、
を備えたことを特徴とする防水構造を備えた機器。
【請求項２】
端部に第一のパッドを備えた第一のケースと、
前記排水路を有し、前記第一のパッドに対応する部分に前記栓部を示す第二のパッドを有し、前記キーボードを配置した第二のケースと、を更に備え、
前記第二のパッドは前記排水路の上部に位置し、
前記機器が閉じられたときに、前記第二のパッドが、前記第一のパッドと当接し、当接するのに応じて前記第一のパッドの圧力に基づき沈み込むことにより前記排水路を塞ぐ、
ことを特徴とする請求項１記載の防水構造を備えた機器。
【請求項３】
前記機器が開かれたときに、前記第二のパッドが、前記第一のパッドと離間し、離間するのに応じて前記第一のパッドの圧力から解放されて浮き上がることにより前記排水路が開通する、
ことを特徴とする請求項２記載の防水構造を備えた機器。
【請求項４】
前記第二のパッドは、前記第一のパッドと当接する面と反対側の面の端部に凸部を有し、
前記排水路は、前記第一のパッドと当接する前記第二のパッドの前記面と水平な水平部を有し、
前記第二のパッドは前記凸部を足とし、これにより前記排水路の前記水平部上に乗っており、
前記機器が閉じられたときに、前記第二のパッドが前記第一のパッドに押されて、前記水平部と前記第一のパッド間にある前記第二のパッドの前記凸部が変形して潰れ、潰れるに応じて前記第二のパッドの本体が沈み込むことにより前記排水路を塞ぐ、
ことを特徴とする請求項２又は３記載の防水構造を備えた機器。
【請求項５】
前記機器が開かれたときに、前記第二のパッドが前記第一のパッドからの圧力から解放され、前記水平部と前記第一のパッド間にある前記第二のパッドの前記凸部の形状が復元し前記第二のパッドの本体が浮き上がることにより前記排水路を開通させる、
ことを特徴とする請求項４記載の防水構造を備えた機器。
【請求項６】
第一のケースと、
前記排水路を有し、前記キーボードを配置した第二のケースと、
これらのケースを開閉自在に接続するヒンジ部と、を更に有し、
前記栓部は、前記排水路の上部に位置し、前記ヒンジ部の回転に応じてスライドするスライドパッキンであり、
前記機器が閉じられたときに、前記ヒンジ部の回転に応じて前記スライドパッキンが前記排水路を塞ぐ方向にスライドすることによって前記排水路を塞ぐ、
ことを特徴とする請求項１記載の防水構造を備えた機器。
【請求項７】
前記機器が開かれたときに、前記ヒンジ部の回転に応じて前記スライドパッキンが前記排水路を開通する方向にスライドすることによって前記排水路を開通させる、ことを特徴とする請求項６記載の防水構造を備えた機器。
【請求項８】
前記ヒンジ部は、このヒンジ部の回転中心から偏心した位置にあり前記ヒンジ部の回転に伴って前記ヒンジ部の回転中心を中心にして回転する偏心軸を有し、
前記スライドパッキンは、前記偏心軸を挿入する第一の穴を有する頭部とこの頭部の下方に位置する棒状部とを有し、
前記排水路は前記スライドパッキンの前記棒状部を挿入する第二の穴を有し、
前記スライドパッキンの前記棒状部を前記排水路の前記第二の穴に挿入し、
前記ヒンジ部の前記偏心軸を前記スライドパッキンの前記頭部の前記第一の穴に差し込み、
前記偏心軸の前記回転に伴って前記スライドパッキンが前記排水路の前記第二の穴に沿ってスライドするように前記第一の穴を前記偏心軸の形状より大きな形状にし、
前記機器が閉じられたときに、前記ヒンジ部の回転に伴って回転する前記偏心軸に従って、前記スライドパッキンが前記排水路の前記第二の穴の方向にスライドすることによって、前記スライドパッキンの棒状部により前記排水路を塞ぐ、ことを特徴とする請求項６又は７記載の防水構造を備えた機器。
【請求項９】
前記機器が開かれたときに、前記ヒンジ部の回転に伴って回転する前記偏心軸に従って、前記スライドパッキンが前記排水路の前記第二の穴の方向と反対の方向にスライドすることによって、前記スライドパッキンの棒状部が前記排水路を開けて前記排水路を開通させる、ことを特徴とする請求項８記載の防水構造を備えた機器。
【請求項１０】
キーボードを備え前記キーボードが使用可能な開状態と前記キーボードが使用不能な閉状態とを有し前記キーボードに入った水分を外部に排出する排水路を備えた機器の防水方法において、
前記排水路の一端を前記キーボードに接続し他端を前記機器の外部に開口させ、
前記機器が閉状態のときには前記排水路を塞ぎ、前記機器が開状態のときには前記排水路を開通させる、
ことを特徴とする機器の防水方法。
【発明の詳細な説明】
【技術分野】
【０００１】
本発明は防水構造を備えた機器及び機器の防水方法に関し、機器の開閉に応じて防水する防水構造を備えた機器及び機器の防水方法に関する。
【背景技術】
【０００２】
携帯型の電子機器としての携帯電話機等には、例えば屋外でも使用可能なように、筐体と操作部のキーボタンとの間の隙間から内部の電気回路へ浸入する水等を遮断して腐食を防止するための防水機能を備える必要がある。
【０００３】
キーボタンと筐体との隙間から侵入する水分を遮断する電子機器の防水構造の一例が特許文献１に記載されている。この電子機器の防水構造を図２０、及び図２１を使用して説明する。図２０は、携帯電話機の外観を示す図である。図２１は、携帯電話機の防水構造を説明するための図であり、図２０のＥ−Ｅ線に沿った断面図である。
【０００４】
この携帯電話機５０は、図２０及び図２１に示すように、多数のキーボタン５７を有する操作部５１と、表示部５２と、アンテナ５３と、スピーカ５４と、マイクロフォン５５と、筐体５６とを備える。筐体５６には各キーボタン５７を露出させるための開口部５８が形成されている。この開口部５８は、例えば合成樹脂成型品から成る。
【０００５】
また、この携帯電話機５０は、キーボタン５７と開口部５８との間の隙間から携帯電話機本体内部に水分等が侵入するのを防ぐためシート部材６１を有する防水構造６０を備えている。
【０００６】
シート部材６１は、各キーボタン５７を載置する載置面６２と、各載置面６２に対向する裏面の中央部に形成されスイッチ６６を押下するためのスイッチ作動用突起部６３と、シート部材６１の周縁部に形成されたシール部６４とを有する。スイッチ６６は基板６７上に形成されている。
【０００７】
防水構造６０は、シール部６４の突起部６５が、筐体５６の裏面のシール領域５９に密着する構造を有する。そして、突起部６５がシール領域５９に押し当てられ押し潰されることによって、各キーボタン５７と筐体５６との間の隙間等からの水等の浸入を遮断する密閉性を確保している。
【０００８】
このような防水構造により、キーボタン５７と開口部５８との間の隙間から侵入する水分等が携帯電話機本体内部に侵入するのを防いでいる。
【０００９】
しかし、防水構造の破損、劣化、不具合等により、水等の浸入を遮断する密閉性が確保されないときには、携帯電話機本体内部に水分等が侵入する可能性がある。そして、一旦携帯電話機本体内部に水分等が侵入したときには、侵入した水分を排出する構造がないので、携帯電話機本体内部に水分が溜まったり、内部の電気回路に不具合を起こさせてしまったりするおそれがある。
【００１０】
このような問題点を解決する技術を備えた電子機器を図１４から図１９を用いて説明する。この電子機器は本体内部に侵入した水分を排出する構造を備えている。
【００１１】
図１４は、水分を排出する構造を備えた折り畳み式電子機器の開いた状態の一例を示す斜視図である。
【００１２】
図１５は、図１４で示す電子機器の閉じた状態の一例を示す斜視図である。
【００１３】
図１６は、図１５で示す電子機器を背面からみた斜視図である。
【００１４】
図１７は、図１４で示す電子機器の開いた状態の中央部分の一例を示す縦断面図である。
【００１５】
図１８は、図１５で示す電子機器の閉じた状態の中央部分の一例を示す縦断面図である。
【００１６】
図１９は、図１４で示す電子機器の開いた状態におけるキーボードを取り除いたときの一例を示す斜視図である。
【００１７】
図１４で示す電子機器１０３は、ヒンジ部４２を介して第一のケース４０と第二のケース４１とが開閉自在となる折り畳み式電子機器である。この電子機器１０３は、キーボード４５、第一のケース４０に備えた第一のパッド４３、第二のケース４１に備えた第二のパッド４４、を有する。  そして、図１５で示すように電子機器１０３が閉じられたときに、第一のパッド４３と第二のパッド４４は当接する。第一のケース４０と第二のケース４１をつなぐヒンジ部４２内にはヒンジ部４２の回転を担うヒンジユニット４７が設定されている。
【００１８】
図１６において、第二のケース４１の背面部分にはゴム足１１を設けてある。また、中央部分にはキーボード４５の周囲に入った水を電子機器１０３の外部に排出するための水抜き穴４６を設けてある。
【００１９】
図１７、及び図１８において、水抜き穴４６はキーボード４５の裏面までつなげておく。また、キーボード４５の端面にはフレキシブルプリント板１７を配置する。そして、このフレキシブルプリント板１７をフレキシブルプリント板切り欠き穴１８に通し、コネクタ１９を介して内部基板１５と接続しておく。ここでキーボード４５内に侵入した水が内部基板１５に流れないようにフレキシブルプリント板１７の途中にパッキン１６を設置しておく。
【００２０】
ここで、例えば、キーボード４５の使用時等に電子機器１０３を開いていた際にキーボード４５に水をこぼす等キーボード４５に水が入った場合、図１９に示すように、この水は、矢印で示すように水抜き穴４６に向かって流れ電子機器１０３の外部に排出される。また、フレキシブルプリント板切り欠き穴１８に向かって流れた水はパッキン１６にて止められる。そして、この水は水抜き穴４６に向かって流れ電子機器１０３の外部に排出される。
【００２１】
しかしながら、水抜き穴４６は電子機器１０３の外面に露出しているので、例えば、キーボード４５を使用しない時等の電子機器１０３を閉じて持ち歩いた際でも、雨や汗等の水分がこの水抜き穴４６から進入しキーボード４５に到達するおそれがある。このときには、キーボード４５は劣化したり、不具合を起こしたりする可能性がある。
【００２２】
また、フレキシブルプリント板切り欠き穴１８に流れた水を止めたパッキン１６は、前述した特許文献１で開示の電子機器の防水構造と同様に、破損、劣化等により、水等の浸入を防ぐことができなくなる可能性がある。このときには、水等が内部基板１５へ侵入し、内部の電気回路が不具合を起こすおそれがある。
【先行技術文献】
【特許文献】
【００２３】
【特許文献１】特開２００３−３４７７５７号公報
【発明の概要】
【発明が解決しようとする課題】
【００２４】
上述した本体内部に侵入した水分を排出する構造を備えた電子機器は、キーボードの使用時等、電子機器を開いていた際にキーボードの周囲に水が入った場合、この水は、電子機器の外面に露出しキーボードの裏面までつながった水抜き穴から外部に排出される。しかしながら、水抜き穴は電子機器の外面に露出しているので、キーボードを使用しない時等、電子機器を閉じて持ち歩いた際でも、雨や汗等の水分がこの水抜き穴から進入しキーボードに到達する可能性がある。このときにはキーボードが劣化したり、不具合が起こったりするおそれがある。
【００２５】
本発明の目的は、上記課題を解決する防水構造を備えた機器及び機器の防水方法を提供することである。
【課題を解決するための手段】
【００２６】
本発明の防水構造を備えた機器は、キーボードを備え前記キーボードが使用可能な開状態と前記キーボードが使用不能な閉状態とをとる、防水構造を備えた機器において、一端を前記キーボードに接続し他端を前記機器の外部に開口した排水路と、前記機器が閉状態のとき前記排水路を塞ぎ、前記機器が開状態のとき前記排水路を開通させる栓部と、を備えて構成されている。
【００２７】
本発明の機器の防水方法は、キーボードを備え前記キーボードが使用可能な開状態と前記キーボードが使用不能な閉状態とを有し前記キーボードに入った水分を外部に排出する排水路を備えた機器の防水方法において、前記排水路の一端を前記キーボードに接続し他端を前記機器の外部に開口させ、前記機器が閉状態のときには前記排水路を塞ぎ、前記機器が開状態のときには前記排水路を開通させるようにしている。
【発明の効果】
【００２８】
本発明によれば、一端をキーボードに接続し他端を機器の外部に開口した排水路を備え、機器が開状態のときにこの排水路を開通させ、機器が閉状態のときにこの排水路を塞ぐようにしている。
【００２９】
このため、本発明によると、キーボードが使用可能な機器の開状態のときには、キーボードに水が入っても排水路からこの水を機器の外部に排出できる。
【００３０】
そして、例えこの機器を持ち歩いても、機器を閉状態にしておくことにより、雨や汗等の水分が排水路から進入せず、キーボードに到達しない。このため、キーボードを劣化させたり、不具合を起こさせたりするおそれがない。
【図面の簡単な説明】
【００３１】
【図１】本発明の防水構造を備えた機器の第１の実施の形態を示す図である。
【図２】本発明の防水構造を備えた機器の第２の実施の形態を示す図である。
【図３】本発明の第２の実施の形態の電子機器の閉じた状態の一例を示す斜視図である。
【図４】図３で示す電子機器を裏面からみた斜視図である。
【図５】本発明の第２の実施の形態の電子機器の開いた状態の中央部の一例を示す縦断面図である。
【図６】本発明の第２の実施の形態の電子機器の開いた状態におけるキーボードを取り除いたときの一例を示す斜視図である。
【図７】本発明の第２の実施の形態の電子機器の閉じた状態の中央部の一例を示す縦断面図である。
【図８】本発明の第２の実施の形態の電子機器の開いた状態のときの第二のパッド部分の一例を示す横断面図である。
【図９】本発明の第２の実施の形態の電子機器が閉じられたときに、第二のパッドにより排水路を塞ぐ一例を示す図である。
【図１０】本発明の防水構造を備えた機器の第３の実施の形態を示す図である。
【図１１】本発明の第３の実施の形態の電子機器の閉じた状態の中央部の一例を示す縦断面図である。
【図１２】本発明の第３の実施の形態の電子機器の閉じた状態におけるヒンジ部の一例を示す横断面図である。
【図１３】本発明の第３の実施の形態の電子機器の開いた状態におけるヒンジ部の一例を示す横断面図である。
【図１４】水分を排出する構造を備えた折り畳み式電子機器の開いた状態の一例を示す斜視図である。
【図１５】図１４で示す電子機器の閉じた状態の一例を示す斜視図である。
【図１６】図１５で示す電子機器を背面からみた斜視図である。
【図１７】図１４で示す電子機器の開いた状態の中央部分の一例を示す縦断面図である。
【図１８】図１５で示す電子機器の閉じた状態の中央部分の一例を示す縦断面図である。
【図１９】図１４で示す電子機器の開いた状態におけるキーボードを取り除いたときの一例を示す斜視図である。
【図２０】携帯電話機の外観を示す図である。
【図２１】図２０のＥ−Ｅ線に沿った断面図である。
【発明を実施するための形態】
【００３２】
次に、本発明の実施の形態について図面を参照して説明する。
【００３３】
図１は、本発明に係る第１の実施の形態の防水構造を備えた電子機器を示す図である。
【００３４】
本実施の形態の電子機器１００は、キーボード３を備えた例えば折り畳み式電子機器において、排水路１と、栓部２とを備えている。排水路１と栓部２はともに筐体内に設定する（共に点線で示す）。排水路１は一端をキーボード３の下部に接続する。排水路１の他端は電子機器１００下部で外部に向けて開口する。排水路１は例えば管形状である。栓部２は、キーボード３が使用不能な電子機器１００の閉状態のときには、排水路１を塞ぐ位置に移動して排水路１を塞ぐ。そして、栓部２は、キーボード３が使用可能な電子機器１００の開状態のときには、排水路１を開通する位置に移動して排水路１を開通させる。
【００３５】
このように、本実施形態によれば、電子機器１００が閉じられたときに排水路１を塞ぐため、電子機器１００の外部からの水が排水路１を伝わってキーボード３内に進入するおそれがない。また、電子機器１００が開かれたときには、排水路１が開通するため、キーボード３に入った水を排水路１を通して電子機器１００の外部に排出することができる。
【００３６】
図２は、本発明に係る第２の実施の形態の防水構造を備えた電子機器を示す図である。この図は、本実施の形態の電子機器１０１の開いた状態の一例を示す斜視図である。
【００３７】
本実施の形態の電子機器１０１は、第一のケース４と、第二のケース５と、ヒンジ部６と、キーボード１０と、第一のパッド８と、第二のパッド９と、排水路７と、により構成する。
【００３８】
この電子機器１０１は、ヒンジ部６を介して第一のケース４と第二のケース５とが開閉自在となる例えば折り畳み式電子機器である。
【００３９】
第一のケース４と第二のケース５をつなぐヒンジ部６内にはヒンジ部６の回転を担うヒンジユニット３４が設定されている。
【００４０】
第一のケース４の上端中央部には第一のパッド８を設ける。
【００４１】
第二のケース５の下端中央部には第二のパッド９を設ける。第二のケース５はキーボード１０を備えている。
【００４２】
第二のケース５の第二のパッド９の裏面に、排水路開口部１２を設ける。
【００４３】
第二のケース５のキーボード１０下部に排水路入り口１３を設ける。
【００４４】
排水路７は、キーボード１０下部に設けた排水路入り口１３とこの排水路開口部１２との間に形成する。
【００４５】
次に、本実施の形態の電子機器１０１の動作を図３、図４、図５、図６、図７、図８及び図９を参照して詳細に説明する。
【００４６】
図３は、本実施の形態の電子機器の閉じた状態の一例を示す斜視図である。
【００４７】
電子機器１０１が閉じられた際に、すなわち、ヒンジ部６を介して第一のケース４が回転し第二のケース５に重なる際に、第一のパッド８を第二のパッド９に当接させることにより第一のケース４と第二のケース５とが直接当たらないようにしておく。
【００４８】
図４は、図３で示す電子機器を裏面からみた斜視図である。
【００４９】
第二のケース５の裏面にはゴム足１１を設置する。第二のケース５の第二のパッド９の裏面には排水路７が排水路開口部１２に開口する。排水路開口部１２は切り欠き状である。
【００５０】
図５は、本実施の形態の電子機器の開いた状態の中央部の一例を示す縦断面図である。
【００５１】
キーボード１０の下部にキーボード１０に入った水が流れこむ排水路入り口１３を設ける。
【００５２】
排水路入り口１３から下に降りた排水路７は、排水路開口部１２に繋がる前段に電子機器１０１の前面方向に水平に折り曲がった水平部１４を有し、この水平部１４を経由して排水路開口部１２で電子機器１０１の外部に開口する。
【００５３】
また、キーボード１０の端面には、キーボード１０のＯＮ／ＯＦＦ信号等を伝達するフレキシブルプリント板１７を配置する。このフレキシブルプリント板１７をフレキシブルプリント板切り欠き穴１８に通してコネクタ１９を介して内部基板１５と接続する。
【００５４】
ここでキーボード１０内に進入した水が内部基板１５に流れ込まないようにフレキシブルプリント板１７の途中にパッキン１６を設置する。
【００５５】
図６は、本実施の形態の電子機器の開いた状態におけるキーボードを取り除いたときの一例を示す斜視図である。
【００５６】
本図は矢印で示すように、キーボード１０に入った水がキーボード設置部分に設けた排水路入り口１３、及びフレキシブルプリント板切り欠き穴１８に流れる込む様子を示している。
【００５７】
図７は、本実施の形態の電子機器の閉じた状態の中央部の一例を示す縦断面図である。
【００５８】
この図は、電子機器１０１が閉じられたときに、第二のパッド９が、第一のパッド８と当接して押され、排水路７の水平部１４と接触して排水路７を塞いでいる様子を示している。
【００５９】
図８は、本実施の形態の電子機器の開いた状態のときの第二のパッド９部分の一例を示す横断面図である。
【００６０】
第二のパッド９は、第一のパッド８と当接する面と反対側の面の端部に下方向に向けて凸部２０を備えている。第二のパッド９はこの凸部２０を足とし、この足により、本図の垂直方向に形成した排水路７の水平部１４上に乗っている。水平部１４の幅は排水路開口部１２の幅より若干広がっている。
【００６１】
図８に示すように、本実施の形態の電子機器１０１が開いた状態のときは、凸部２０により浮いている第二のパッド９の本体と排水路７の水平部１４との間に隙間がある。電子機器１０１はこの隙間を通して水を外部に排出することができる。
【００６２】
ここで、電子機器１０１が閉じられたときに、第二のパッド９が、第一のパッド８と当接して押され、排水路７の水平部１４と接触することによって排水路７を塞ぐ動作を説明する。
【００６３】
図９は、本実施の形態の電子機器が閉じられたときに、第二のパッド９により排水路７を塞ぐ一例を示す図である。
【００６４】
この図は、本実施の形態の電子機器１０１の閉じた状態のときの第一のパッド８及び第二のパッド９部分の横断面図である。
【００６５】
電子機器１０１を閉じると、第一のパッド８が第二のパッド９に当接することによって第二のパッド９を押す。すると、本図の垂直方向に形成した排水路７の水平部１４と第一のパッド８との間にある第二のパッド９の凸部２０が変形して潰れ第二のパッド９の本体が沈み込む。このことにより、第二のパッド９の本体と水平部１４との間の隙間がなくなり、第二のパッド９の本体が排水路７を塞ぐ。
【００６６】
その後、電子機器１０１が開かれると、図８に示すように、第二のパッド９に掛かっていた第一のパッド８の圧力が開放され、第二のパッド９の弾性により第二のパッド９の潰れていた凸部２０が元の形状に復元し第二のパッド９の本体が浮き上がる。このため、第二のパッド９の本体と水平部１４との間に隙間が発生し、電子機器１０１はこの隙間から水を排出することができるようになる。すなわち排水路７が開通する。
【００６７】
以上のように、本実施形態によれば、電子機器１０１が閉じられたときに、第二のパッド９の本体が沈み込むことにより排水路７を塞ぐため、電子機器１０１の外部からの水が排水路７を伝わってキーボード内に進入するおそれがない。また、電子機器１０１が開かれたときには、第二のパッド９の本体が浮き上がることにより排水路７が開通するため、キーボードに入った水を排水路７を通して電子機器１０１の外部に排出することができる。
【００６８】
図１０は、本発明に係る第３の実施の形態の防水構造を備えた電子機器を示す図である。この図は、本実施の形態の電子機器１０２の開いた状態の中央部分の一例を示す縦断面図である。
【００６９】
本実施の形態の電子機器１０２は、第一のケース２１と、第二のケース２２と、ヒンジ部２３と、キーボード２７と、排水路２４と、スライドパッキン３６と、により構成する。
【００７０】
この電子機器１０２は、ヒンジ部２３を介して第一のケース２１と第二のケース２２とが開閉自在となる例えば折り畳み式電子機器である。
【００７１】
第二のケース２２はキーボード２７を備えている。
【００７２】
第二のケース２２のヒンジ部２３側の下部に排水路開口部２５を設ける。
【００７３】
排水路２４は、この排水路開口部２５とキーボード２７下部に設けた排水路入り口２６との間に形成し、ヒンジ部２３の下を通る。
【００７４】
スライドパッキン３６は、排水路２４の上部のヒンジ部２３内に設け、排水路２４の壁に設けたヒンジ穴３５に挿入する。そして、ヒンジ部２３の回転に応じてヒンジ穴３５に沿って例えば垂直方向にスライドし、排水路２４を塞いだり、開通させたりする。
【００７５】
本図１０におけるスライドパッキン３６は、ヒンジ部２３の回転に応じて垂直方向上方にスライドしたのち排水路２４を開通させている状態を示している。
【００７６】
また、キーボード２７の端面にはフレキシブルプリント板３０を配置し、フレキシブルプリント板切り欠き穴３１を通し、コネクタ３２を介して内部基板２８と接続しておく。
フレキシブルプリント板切り欠き穴３１は、排水路入り口２６から続く排水路２４の一部であっても良い。ここでキーボード２７内に侵入した水が内部基板２８に流れ込まないようにフレキシブルプリント板３０の途中にパッキン２９を設置しておく。
【００７７】
次に、本実施の形態の電子機器１０２の動作を図１１、図１２、及び図１３を参照して詳細に説明する。
【００７８】
図１１は、本実施の形態の電子機器の閉じた状態の中央部の一例を示す縦断面図である。  この図１１におけるスライドパッキン３６は、ヒンジ部２３の回転に応じて垂直方向下方にスライドしたのち排水路２４を塞いでいる状態を示している。
【００７９】
図１２は、本実施の形態の電子機器の閉じた状態におけるヒンジ部２３の一例を示す横断面図である。
【００８０】
第一のケース２１と第二のケース２２をつなぐヒンジ部２３内にはヒンジ部２３の回転を担うヒンジユニット３４が設定されている。
【００８１】
ヒンジユニット３４は、中心にシャフト３８を有し、シャフト３８の先端にシャフト３８の回転中心を中心にして回転する偏心軸３９を備えている。
【００８２】
この偏心軸３９は、シャフト３８の回転中心から偏心した位置にある。
【００８３】
本実施の形態の電子機器１０２は、シャフト３８の回転中心を中心にして第一のケース２１と第二のケース２２とを開閉自在にしている。
【００８４】
スライドパッキン３６は、偏心軸３９を挿入する穴３７を有する頭部とこの頭部の下方にこの穴３７の方向と直行する方向に伸びる棒状部とを有するピン形状である。
【００８５】
ヒンジユニット３４の偏心軸３９は、スライドパッキン３６の頭部の穴３７に差し込まれる。スライドパッキン３６の棒状部は排水路２４の壁に設けたヒンジ穴３５に挿入される。偏心軸３９の回転に伴ってスライドパッキン３６の棒状部が排水路２４の壁に設けたヒンジ穴３５に沿ってスライドするようにスライドパッキン３６の頭部の穴３７の形状を偏心軸３９の形状より大きくしておく。
【００８６】
そして、電子機器１０２が閉じられたときに、ヒンジユニット３４のシャフト３８の回転に伴って回転する偏心軸３９に従って、スライドパッキン３６が排水路２４の方向にスライドする。すると、スライドパッキン３６の頭部がヒンジ穴３５を塞ぐとともに、棒状部が排水路２４を塞ぐ。
【００８７】
図１３は、本実施の形態の電子機器の開いた状態におけるヒンジ部２３の一例を示す横断面図である。
【００８８】
電子機器１０２を図１２の閉じた状態から開いた状態にすると、ヒンジユニット３４のシャフト３８の回転に伴って回転する偏心軸３９に従って、スライドパッキン３６が排水路２４と反対の方向にスライドする。すると、スライドパッキン３６の頭部がヒンジ穴３５から離れるとともに、棒状部が排水路２４を解放する。
【００８９】
このように、スライドパッキン３６がヒンジ部２３の回転に応じてヒンジ穴３５に沿って例えば垂直方向にスライドし、排水路２４を塞いだり、開通させたりする。
【００９０】
以上のように、本実施形態によれば、電子機器１０２が閉じられたときに、スライドパッキン３６が排水路２４内に入り込んで排水路２４を塞ぐため、電子機器１０２の外部からの水が排水路２４を伝わってキーボード２７内に進入することはない。また、電子機器１０２が開かれたときには、スライドパッキン３６が移動し、排水路２４を開通させる。このため、キーボード２７に入った水を排水路２４を通して電子機器１０２の外部に排出することができる。
【００９１】
以上のように、本発明に係る第１から第３の実施の形態によれば、キーボードが使用不能な電子機器の閉状態のとき排水路を塞ぐので、この電子機器を持ち歩くとき等には、電子機器を閉状態にしておくことにより、雨や汗等の水分がこの排水路から進入することがない。このため、電子機器を閉状態のときには水分が排水路からキーボードに到達しないので、キーボードを劣化させたり、不具合を起こさせたりするおそれがない。
【００９２】
また、本発明に係る第１から第３の実施の形態によれば、キーボードが使用可能な電子機器の開状態のときには排水路が開通するので、キーボードの使用時等にキーボードに水が入った場合、排水路からこの水を電子機器の外部に排出できる。
【００９３】
尚、本発明の防水構造を備えた機器及び機器の防水方法を、上記した第１から第３の実施の形態により、キーボードを有し閉開状態のある電子機器を用いて説明した。しかし、電子機器にこだわらず、例えば、電子辞書、電卓、ゲーム機器、腕時計等の、キーボードに類似したものを有し、閉開状態のある機器であれば何でも適用できる。
【符号の説明】
【００９４】
１  排水路
２  栓部
３  キーボード
４  第一のケース
５  第二のケース
６  ヒンジ部
７  排水路
８  第一のパッド
９  第二のパッド
１０  キーボード
１１  ゴム足
１２  排水路開口部
１３  排水路入り口
１４  水平部
１５  内部基板
１６  パッキン
１７  フレキシブルプリント板
１８  フレキシブルプリント板切り欠き穴
１９  コネクタ
２０  凸部
２１  第一のケース
２２  第二のケース
２３  ヒンジ部
２４  排水路
２５  排水路開口部
２６  排水路入り口
２７  キーボード
２８  内部基板
２９  パッキン
３０  フレキシブルプリント板
３１  フレキシブルプリント板切り欠き穴
３２  コネクタ
３３  ゴム足
３４  ヒンジユニット
３５  ヒンジ穴
３６  スライドパッキン
３７  穴
３８  シャフト
３９  偏心軸
４０  第一のケース
４１  第二のケース
４２  ヒンジ部
４３  第一のパッド
４４  第二のパッド
４５  キーボード
４６  水抜き穴
４７  ヒンジユニット
５０  携帯電話機
５１  操作部
５２  表示部
５３  アンテナ
５４  スピーカ
５５  マイクロフォン
５６  筐体
５７  キーボタン
５８  開口部
５９  シール領域
６０  防水構造
６１  シート部材
６２  載置面
６３  スイッチ作動用突起部
６４  シール部
６５  突起部
６６  スイッチ
６７  基板
１００  電子機器
１０１  電子機器
１０２  電子機器
１０３  電子機器
【図１】
2012004366.tif 000003
【図２】
2012004366.tif 000004
【図３】
2012004366.tif 000005
【図４】
2012004366.tif 000006
【図５】
2012004366.tif 000007
【図６】
2012004366.tif 000008
【図７】
2012004366.tif 000009
【図８】
2012004366.tif 000010
【図９】
2012004366.tif 000011
【図１０】
2012004366.tif 000012
【図１１】
2012004366.tif 000013
【図１２】
2012004366.tif 000014
【図１３】
2012004366.tif 000015
【図１４】
2012004366.tif 000016
【図１５】
2012004366.tif 000017
【図１６】
2012004366.tif 000018
【図１７】
2012004366.tif 000019
【図１８】
2012004366.tif 000020
【図１９】
2012004366.tif 000021
【図２０】
2012004366.tif 000022
【図２１】
2012004366.tif 000023